(57)【要約】      （修正有）【課題】特に配線配管用の空間を有すると共に、断熱効果を備えてエネルギーを節約できる複数層の壁構造を提供する。【解決手段】複数層の壁構造は、建築において壁１０または天井２０に設置されるものであって、補助壁３０及び内壁４０を有し、補助壁３０の内部に中空空間３１が形成され、内壁４０は、補助壁３０と隣接するように設置され、その内部に配置空間４１が形成され、その補助壁３０の中空空間３１及び内壁４０の配置空間４１に配管・配線作業を行うことができることから、断熱や、防音、配線配管などの機能を備え、地震による揺れを緩和して壁の破損を防ぐと共に、耐震効果を向上させ、また、工期を短縮して空気汚染の発生も減少させることができ、その上、それぞれの部材を取り外して再利用することもできるので、環境及びエコに優しい建築材料と言える。【選択図】図１
0003212146.tif 000002
【実用新案登録請求の範囲】
【請求項１】
建築において壁または天井に設置されるものであって、
その内部に中空空間が形成され、その外側面により壁または天井の内側面に当接されると共に、該中空空間と連通する複数の第一連通穴が形成される第一支持柱を備える、補助壁及び、
前記補助壁と隣接するように設置され、その内部に配置空間が形成され、第一壁体と、第二壁体と、第二支持柱を備え、そのうち、第一壁体は、中空空間の一側に配置されると共に、連接柱を備え、該連接柱により第一支持柱に連接され、前記配置空間は、該第一壁体と第二壁体との間に形成され、該第二支持柱は、第一壁体と第二壁体との間に配置されると共に、連接柱に連接され、また、配置空間と連通する複数の第二連通穴を備える、内壁を有することを特徴とする複数層の壁構造。
【請求項２】
前記第一支持柱の内側面が第一壁体に当接され、該第一支持柱における内側面と外側面との距離は、中空空間の幅となることを特徴とする請求項１に記載の複数層の壁構造。
【請求項３】
前記第二支持柱の外側面が第一壁体に当接され、該第二支持柱における内側面と外側面との距離は、配置空間の幅となることを特徴とする請求項１に記載の複数層の壁構造。
【請求項４】
前記第一壁体は、連接柱を有し、該連接柱の両側に第一支持柱及び第二支持柱が連接されることを特徴とする請求項１に記載の複数層の壁構造。
【請求項５】
前記連接柱と第一支持柱と第二支持柱とが一体に成形されることを特徴とする請求項４に記載の複数層の壁構造。
【請求項６】
前記連接柱における、相対する両側にそれぞれ係合凹部が形成されることを特徴とする請求項４に記載の複数層の壁構造。
【請求項７】
前記第一壁体における、連接柱の両側にそれぞれ第一板体が設置され、該第一板体は、その対応する係合凹部に嵌設されることを特徴とする請求項６に記載の複数層の壁構造。
【請求項８】
前記第二壁体は、第二板体及び第三板体を備え、該第二板体は、第二支持柱と隣接するように設置され、該第三板体は、第二板体における、第二支持柱と反対する側に設置されることを特徴とする請求項７に記載の複数層の壁構造。
【請求項９】
複数の補強横フレーム材を有し、それらの補強横フレーム材はそれぞれ、その対応する第二支持柱の第二連通穴を通過するように、該第二支持柱に架設されることを特徴とする請求項１に記載の複数層の壁構造。
【請求項１０】
前記内壁の配置空間に耐火材料が充填されることを特徴とする請求項１項に記載の複数層の壁構造。
【考案の詳細な説明】
【技術分野】
【０００１】
本考案は、特に配線配管用の空間を有すると共に、断熱効果を備えてエネルギーを節約できる複数層の壁構造に関するものである。
【背景技術】
【０００２】
既存の建築の壁は、外壁を有し、該外壁の内側に内壁が設けられ、該内壁に複数の支持柱が間隔をおいて設置され、該支持柱に複数の配線穴が間隔をおいて形成され、また、それらの支持柱に内壁面が設けられ、該内壁面と外壁との間にスペースが形成され、支持柱の配線穴及びスペースに配線・配管を施すことができる。
【考案の概要】
【考案が解決しようとする課題】
【０００３】
しかしながら、従来の建築では、必ず壁に配管作業を行った後に、グラウト材を注入する作業やペンキの塗装作業などの工事を行うので、工期が長くなると共に、ペンキの塗装作業を行う時にも空気汚染を起す問題があった。また、地震の多発地域では、生命や財産などを守るために、建築に耐震機能を付加することが大切であるが、従来の壁では、内壁が外壁に隣接すると共に、内壁の構造強度が外壁の構造強度よりも弱いことから、地震が発生すると、内壁が壊れやすく、配管と配線も壊れてしまう。
【０００４】
さらに、従来の建築における外壁及び内壁は、断熱効果を備える設計を有しないので、夏などの暑い場合に、室内の温度が高くなり、クーラーや扇風機などの冷房機器を高頻度に使用して電力も多く消費すると共に、エネルギーの無駄となる。
【課題を解決するための手段】
【０００５】
本考案に係る複数層の壁構造は、補助壁及び内壁を備えると共に、建築において壁または天井に設置されるものであって、
そのうち、補助壁は、その内部に中空空間が形成され、その外側面により壁または天井の内側面に当接されると共に、該中空空間と連通する複数の第一連通穴が形成される第一支持柱を備え、
前記内壁は、補助壁と隣接するように設置され、その内部に配置空間が形成され、第一壁体と、第二壁体と、第二支持柱を備え、そのうち、第一壁体は、中空空間の一側に配置されると共に、連接柱を備え、該連接柱により第一支持柱に連接され、該配置空間は、該第一壁体と第二壁体との間に形成され、該第二支持柱は、第一壁体と第二壁体との間に配置されると共に、連接柱に連接され、また、配置空間と連通する複数の第二連通穴を備える。
【考案の効果】
【０００６】
本考案に係る、複数層の壁構造においては、その補助壁に中空空間が形成されると共に、その内壁に配置空間が形成されることから、その補助壁の中空空間に、実際の需要に応じる配管・配線作業を行うことができ、配線・配管作業の安全性を向上させることができる。また、その補助壁は、建築の壁と内壁との間、或いは、建築の天井と内壁との間に設置されることから、該補助壁により地震の揺れを緩和することができるため、地震が発生しても中空空間内の配線配管を守ることができ、耐震効果を向上させる。
【０００７】
さらに、その補助壁には、断熱効果を備える中空空間を有することから、、断熱効果を向上させ、室外の高温が建築物の外壁から複数層の壁構造の内壁へ伝わることを抑えて夏の時でも室内を涼しくすると共に、クーラーなどの冷房機器の使用頻度も減らすことができるので、炭素排出量を減らしてエコ及び省エネに優れる。更に、その補助壁の中空空間により防音効果も提供することができる。このように、その補助壁を有すれば、コンクリートの塗装工事を省略することができ、工期を短縮して空気汚染の発生も減少させることができ、それぞれの部材を取り外して再利用することも可能となることから、環境及びエコに優しい建築材料と言える。
【図面の簡単な説明】
【０００８】
【図１】本考案の第一実施例において、建築物の壁及び天井に本考案の壁構造を設置した状態を示す部分断面説明図である。
【図２】本考案の第一実施例において、建築物の壁及び天井に本考案の壁構造を設置した状態を示す側面断面図である。
【図３】図２のＡ−Ａ線の断面説明図である。
【図４】本考案の第二実施例において、建築物の壁に本考案の壁構造を設置した状態を示す部分断面説明図である。
【考案を実施するための形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１に示すように、本考案に係る、複数層の壁構造は、建築物の室内における壁１０または天井２０に設置されるものであり、図２及び図３に示すように、本考案に係る、複数層の壁構造の第一実施例では、壁１０または天井２０の内側に補助壁３０及び内壁４０が順に取り付けられ、また、建築物の構造に、複数の補助壁３０及び複数の内壁４０を装着する必要がある場合もある。前記各補助壁３０は、断熱や、防音、配線配管などの機能を備える中空空間３１を有し、すなわち、該中間空間３１は、補助壁３０の内部に形成される。前記内壁４０は、補助壁３０の内側面に隣接するように設置され、その内部に配置空間４１が形成され、すなわち、該配置空間４１は、内壁４０の内部に形成される。
【００１１】
図２及び図３に示すように、前記各補助壁３０は、少なくとも１つの第一支持柱３２を備え、第一実施例において、該補助壁３０に複数の第一支持柱３２が設置されることが好ましく、壁の構造を強化することができる。前記第一支持柱３２は、その外側面を介して壁１０または天井２０の内側面に当接され、該第一支持柱３２を貫通すると共に中空空間３１と連通する複数の第一連通穴３３が形成される。前記内壁４０は、第一壁体４２と、第二壁体４３と、第二支持柱４４を備え、該第一壁体４２は、補助壁３０に組み合わされ、第一支持柱３２と結合する連接柱４６を有する。第一実施例において、複数の連接柱４６及び複数の第二支持柱４４を有することが好ましく、壁の構造を強化することができる。前記配置空間４１は、第一壁体４２と第二壁体４３との間に形成される。前記第二支持柱４４は、第一壁体４２と第二壁体４３との間に取り付けられ、第一壁体４２の連接柱４６に結合され、該第二支持柱４４を貫通すると共に配置空間４１と連通する複数の第二連通穴４５を備える。前記中空空間３１は、第一壁体４２の外側に位置する。前記配置空間４１は、第一壁体４２の内側と第二壁体４３の外側との間に形成される。前記第一支持柱３２の内側面が第一壁体４２に当接され、該第一支持柱３２における内側面と外側面との距離は、中空空間３１の幅となり、前記第二支持柱４４の外側面が第一壁体４２に当接され、該第二支持柱４４における内側面と外側面との距離は、配置空間４１の幅となる。
【００１２】
前記連接柱４６の両側が第一支持柱３２及び第二支持柱４４に対応して連接され、該連接柱４６と第一支持柱３２と第二支持柱４４とは、一体に成形されるものであり、該連接柱４６における、相対する両側にそれぞれ係合凹部４６１が形成され、前記第一壁体４２は、２つの第一板体４７を備え、該２つの第一板体４７は、連接柱４６の両側に取り付けられ、該第一板体４７は、その対応する係合凹部４６１に嵌設される。さらに、前記第二壁体４３は、第二板体４８及び第三板体４９を備え、該第二板体４８は、それらの第二支持柱４４と隣接するように設置され、該第三板体４９は、第二板体４８の第二支持柱４４と反対する側に設置される。
【００１３】
本考案に係る、複数層の壁構造は、さらに、複数の補強横フレーム材５０を有し、それらの補強横フレーム材５０はそれぞれ、第二支持柱４４の第二連通穴４５を通過して、その対応する第二支持柱４４に架設される。
【００１４】
図２に示すように、本考案に係る、複数層の壁構造を建築の壁１０に装着する場合、１つの補助壁３０及び1つの内壁４０を有する。その建築物における天井２０に天井レール２１が設置されると共に、床７０に天井レール２１に対応する床レール７１が設置され、該床レール７１に水平調整座７２が取り付けられる。前記内壁４０は、天井レール２１と床レール７１との間に装着される。
図２及び図３に示すように、前記補助壁３０の中空空間３１及び内壁４０の配置空間４１に、配線または配管が設置される。尚、その中空空間３１及び配置空間４１にそれぞれ、実際の需要に応じる配線・配管作業を行うことができることから、配線・配管作業の安全性を向上させる。例えば、その垂直方向の配線及び配管を、補助壁３０の中空空間３１に設置し、その水平方向の配線及び配管を、内壁４０の配置空間４１に設置することが好ましい。
【００１５】
図１に示すように、本考案に係る、複数層の壁構造は、建築物の天井２０に装着する場合、１つの補助壁３０及び1つの内壁４０を有する。前記第一支持柱３２の外側面が、建築物の天井２０の内側面に当接するように設置され、前記内壁４０は、床７０に面するように設置される。
図４に示すように、本考案に係る複数層の壁構造の第二実施例は、耐火材料６０を含み、該耐火材料６０が内壁４０の配置空間４１に充填される。
【００１６】
本考案に係る、複数層の壁構造を有すれば、室外の熱エネルギが補助壁３０及び内壁４０を通って室内に伝わると、補助壁３０の中空空間３１による断熱効果により、熱エネが内壁４０に伝わることを抑える。その第一板体４７は、バーミキュライト板などの防火材料であり、その第二板体４８は、耐火石膏板または防水板であり、その第三板体４９は、亜鉛メッキ鋼板であることが好ましい。
【００１７】
本考案に係る、複数層の壁構造を用いて建築の壁に利用する時は、研磨作業またはペンキの塗装作業を省略することができることから、工期を短縮できると共に、空気汚染が起こることもない。さらに、使用者が壁を飾る場合は、本考案に係る、複数層の壁構造を既有の壁に利用することも可能であり、既存の壁を壊すこともないので、壁の構造強度を確保することができ、且つ建築物の安全性も確保できる。本考案に係る、複数層の壁構造によれば、リフォームなどの配線及び配管を補助壁３０の中空空間３１及び内壁４０の配置空間４１に設置することができ、既存の配管及び配線に制限されることはないので、使用上に利便性及び実用性が高い。
【００１８】
本考案に係る、複数層の壁構造においては、その補助壁３０が壁１０と内壁４０との間、または、天井２０と内壁４０との間に設置されることから、該補助壁３０により地震の揺れを緩和することができるため、地震が発生しても中空空間３１内の配線配管を守ることができ、耐震効果を向上させる。さらに、その補助壁３０は、中空空間３１により断熱効果を向上させることから、断熱効果により室内の温度の上昇を抑えて夏の時でも室内を涼しくすると共に、クーラーなどの冷房機器を使用する頻度も減らすことができるので、炭素排出量を減らしてエコ及び省エネに優れ、尚且つ、その補助壁３０の中空空間３１により防音効果も提供できる。
更に、その補助壁３０を有すれば、コンクリートの塗装工事を省略して、工期を短縮して空気汚染の発生も減少させることができ、その上、それぞれの部材を取り外して再利用することもできるので、環境及びエコに優しい建築材料と言える。
【符号の説明】
【００１９】
１０   壁
２０   天井
２１   天井レール
３０   補助壁
３１   中空空間
３２   第一支持柱
３３   第一連通穴
４０   内壁
４１   配置空間
４２   第一壁体
４３   第二壁体
４４   第二支持柱
４５   第二連通穴
４６   連接柱
４６１ 係合凹部
４７   第一板体
４８   第二板体
４９   第三板体
５０   補強横フレーム材
６０   耐火材料
７０   床
７１   床レール
７２   水平調整座
【図１】
0003212146.tif 000003
【図２】
0003212146.tif 000004
【図３】
0003212146.tif 000005
【図４】
0003212146.tif 000006